(57)【要約】【課題】ノイズ発生時に想定される最大サージに対する耐性を基準とするのではなく、高電圧等の電気的要因が作用したことを積極的に検知し、当該電気的要因の発生源である不正行為を抑制し得るようにした遊技機を提供する。【解決手段】パチンコ機１において、不正行為者が高圧放電に伴う電磁波ノイズ等の電気的要因を遊技機本体に与え、遊技制御装置８０や始動チャッカー開閉ソレノイド６９などに誤動作を起こさせようとした場合、加えられた電気的要因を、対応するアレスタ６２ａ，６２ｂ，６２ｃ，６２ｄのいずれかが放電して逃がすように機能する。この放電時にアレスタ６２ａ〜６２ｄのいずれかが閃光を発するため、その光をフォトトランジスタ６３，６４，６５，８４の対抗するものが検知し、それに基づき、警報装置７７が警報を発する。【選択図】図４
2008119117.tif 000002
【特許請求の範囲】
【請求項１】
大当たり抽選手段と、複数の電子・電気機器と、それら電子・電気機器を制御する制御基板と、を遊技機本体に備え、遊技媒体を用いて前記大当たり抽選手段による大当たり抽選を実行するように遊技してなる遊技機において、
前記電子・電気機器及び／又は前記制御基板に影響を与え得る高電圧等の電気的要因が作用したことを検出する検出手段と、
該検出手段が前記電気的要因を検出した際に警報を発する警報手段と、を備える、
ことを特徴とする遊技機。
【請求項２】
前記検出手段は、前記電気的要因が作用した際に発光する発光手段と、該発光手段が発する光を検知する発光検知手段と、該発光検知手段による光検知時に前記警報手段を制御する制御手段と、を備えてなる、
請求項１記載の遊技機。
【請求項３】
前記発光手段は、前記遊技機本体内に実装されるサージアブソーバである、
請求項２記載の遊技機。
【請求項４】
前記警報手段は、前記遊技機を管理する管理室に配置された警報装置である、
請求項１ないし３のいずれか１項記載の遊技機。
【請求項５】
前記警報手段は、前記遊技機本体に装備された警報装置である、
請求項１ないし３のいずれか１項記載の遊技機。
【請求項６】
前記警報手段は、前記遊技機本体に備えた放音装置、照明装置及び表示装置のうちの少なくとも１つを駆動して警報してなる、
請求項１ないし３のいずれか１項記載の遊技機。
【請求項７】
前記遊技機は、前記遊技機本体に備えた遊技盤の遊技領域に、前記遊技媒体としての遊技球を打ち出して遊技してなるパチンコ機である、
請求項１ないし６のいずれか１項記載の遊技機。
【請求項８】
前記遊技機は、複数の回胴リールを備え、前記遊技媒体としてのメダルを用いて遊技してなるスロットマシンである、
請求項１ないし６のいずれか１項記載の遊技機。
【発明の詳細な説明】
【技術分野】
【０００１】
本発明は、パチンコ機やスロットマシン等の遊技機に係り、詳しくは、遊技機本体に対する不正行為（所謂ゴト行為）を抑制するようにした遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（特許文献１参照）。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
また、遊技機、例えばスロットマシンとして、複数種の図柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の図柄同士が一致したときに当たりとなり、ボーナス取得として多数の遊技メダルがメダル受け皿に放出される構造のものが知られている（特許文献２参照）。当該スロットマシンでは、主基板に装着されたＲＯＭの抽選機能により役抽選を行い、該対応役の結果に応じて回胴リールを停止制御させてシンボルマークを揃える際等に視覚的な演出を行っている。
【０００５】
上述したようなパチンコ機やスロットマシンでは、静電気等の高電圧放電（高圧放電）に伴うノイズ（静電気ノイズ、電磁波ノイズ）を遊技機本体に与えて制御回路を誤動作させる等で不正に出玉を取得する不正行為（所謂ゴト行為）が後を絶たない。そのため、高圧放電に伴うノイズの対策としては、一般に、遊技機本体内の種々の導電性部品にアース線を接続するなど、電気を遊技機本体外部に逃がすような手法がとられている。また、制御回路等を実装した基板そのものにノイズ対策部品を追加搭載することで耐ノイズ性能を高めるようにする手法も実施されている。
【０００６】
【特許文献１】特開２００３−２３６２１０号公報
【特許文献２】特開２００３−２７５３７２号公報
【発明の開示】
【発明が解決しようとする課題】
【０００７】
しかし、上述したようなノイズ対策では、ノイズ発生時に想定される最大のサージ（過電圧）に対する耐性が基準となるため、種々の導電性部品に接続されるアース線が多くなってそれらの配線スペースが余分に必要となり、同時に、ノイズ耐性を満たす構造がより複雑化する。このため、遊技機のコンパクト性を損なったり、ノイズ対策部品の追加搭載などによるコストアップを招来したりする虞がある。
【０００８】
そこで本発明は、ノイズ発生時に想定される最大サージに対する耐性を基準とするのではなく、高電圧等の電気的要因が作用したことを積極的に検知し、当該電気的要因の発生源である不正行為を抑制し得るように構成し、もって上述した課題を解決した遊技機を提供することを目的とするものである。
【課題を解決するための手段】
【０００９】
請求項１に係る本発明は（例えば図１ないし図５参照）、大当たり抽選手段（例えば８３）と、複数の電子・電気機器（例えば６９，７０）と、それら電子・電気機器を制御する制御基板（例えば４０）と、を遊技機本体（６，７又は１０２，１０３）に備え、遊技媒体（例えばＢａ）を用いて前記大当たり抽選手段（例えば８３）による大当たり抽選を実行するように遊技してなる遊技機（１又は１０１）において、
前記電子・電気機器（例えば６９，７０）及び／又は前記制御基板（例えば４０）に影響を与え得る高電圧等の電気的要因（例えば、静電気等による高圧放電に伴うノイズ）が作用したことを検出する検出手段（６２，６３〜６５，８４，９２，９３）と、
該検出手段（６２，６３〜６５，８４，９２，９３）が前記電気的要因を検出した際に警報を発する警報手段（７７）と、を備える、
ことを特徴とする遊技機（１又は１０１）にある。
【００１０】
請求項２に係る本発明は（例えば図１、図３、図４及び図６参照）、前記検出手段は、前記電気的要因が作用した際に発光する発光手段（６２）と、該発光手段が発する光を検知する発光検知手段（６３，６４，６５，８４）と、該発光検知手段による光検知時に前記警報手段（７７）を制御する制御手段（９２，９３）と、を備えてなる、
請求項１記載の遊技機（１又は１０１）にある。
【００１１】
請求項３に係る本発明は（例えば図３、図４及び図６参照）、前記発光手段が、前記遊技機本体（６，７又は１０２，１０３）内に実装されるサージアブソーバ（６２）である、
請求項２記載の遊技機（１又は１０１）にある。
【００１２】
請求項４に係る本発明は（例えば図３及び図４参照）、前記警報手段が、前記遊技機を管理する管理室（７８）に配置された警報装置（７７）である、
請求項１ないし３のいずれか記載の遊技機（１又は１０１）にある。
【００１３】
請求項５に係る本発明は（例えば図１、図３、図４及び図６参照）、前記警報手段が、前記遊技機本体（６，７又は１０２，１０３）に装備された警報装置（７７）である、
請求項１ないし３のいずれか１項記載の遊技機（１又は１０１）にある。
【００１４】
請求項６に係る本発明は（例えば図１、図３、図４及び図６参照）、前記警報手段が、前記遊技機本体（６，７又は１０２，１０３）に備えた放音装置（１２又は１０７ａ，１０７ｂ）、照明装置（１１又は１０６，１１２ａ，１１２ｂ）及び表示装置（３５又は１０８ａ）のうちの少なくとも１つを駆動して警報してなる、
請求項１ないし３のいずれか記載の遊技機（１又は１０１）にある。
【００１５】
請求項７に係る本発明は（例えば図１参照）、前記遊技機が、前記遊技機本体（６，７）に備えた遊技盤（３）の遊技領域（３ａ）に、前記遊技媒体としての遊技球（Ｂａ）を打ち出して遊技してなるパチンコ機（１）である、
請求項１ないし６のいずれか１項記載の遊技機にある。
【００１６】
請求項８に係る本発明は（例えば図６参照）、前記遊技機は、複数の回胴リール（１１０ａ，１１０ｂ，１１０ｃ）を備え、前記遊技媒体としてのメダルを用いて遊技してなるスロットマシン（１０１）である、
請求項１ないし６のいずれか１項記載の遊技機にある。
【００１７】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１８】
請求項１に係る本発明によると、検出手段が、高電圧等の電気的要因が作用したことを検出し、警報手段が、電気的要因の検出時に警報を発するので、不正行為を行っている不正行為者に警告を与えたり、周囲にいる遊技客や遊技場（ホール）の係員等に不正行為の事実を知らせたりすることで、不正行為そのものを抑制し、遊技場に多大な損害を与えるような問題を未然に防ぐことが可能となる。従って、高圧放電に伴う電磁波ノイズ等の電気的要因の検出時に想定される最大サージに対する耐性を基準とするのではなく、電気的要因を検知した際に不正行為を抑制するように機能させる構成とすればよい。これにより、不正行為に対抗するために多数のアース線を配線するような複雑な構造を簡素化することが可能になるため、部品点数を削減し、組立て工程を簡略化し、それに伴うコストダウンも期待することができる。そして、不正行為自体の抑制により、遊技機に或る程度の水準、例えば主制御基板が誤作動しない程度の水準までノイズ耐性を考慮すればよくなるため、耐ノイズ設計を簡略化し、コスト面、開発期間の短縮など、設計・製造面での有効なメリットを得ることができる。
【００１９】
請求項２に係る本発明によると、電気的要因が作用した際に発光する発光手段と、該発光手段が発する光を検知する発光検知手段と、該発光検知手段による光検知時に警報手段を制御する制御手段とを有する比較的簡単な構造で検出手段を実現でき、遊技機のコンパクト化を損なうことなく検出手段を装備することができる。
【００２０】
請求項３に係る本発明によると、発光手段が、遊技機本体内に実装されるサージアブソーバからなるので、遊技機本体に、高圧放電に伴う電磁波ノイズ等の電気的要因が作用した際のサージ（過電圧）を逃がすためのサージアブソーバによる放電発光をそのまま警報に有効利用でき、発光手段として特別な発光素子等を別途用意する必要がない分、コスト的に有利になると共に、部品点数の削減に貢献することができる。
【００２１】
請求項４に係る本発明によると、警報手段が、管理室に配置された警報装置からなるので、遊技場の責任者等に不正行為発生の事実を直ちに警報により認識させ、不正行為を抑制する処置を速やかにとらせることができる。この場合、不正行為者に気づかれることなく退路を断つなど、より有効な処置をとることができる。
【００２２】
請求項５に係る本発明によると、警報手段が、遊技機本体に装備された警報装置であるので、高圧放電に伴う電磁波ノイズ等の電気的要因の検出とともに直ちに警報を発し、不正行為者に不正行為の停止を促すことができる。
【００２３】
請求項６に係る本発明によると、警報手段が、遊技機本体に備えた放音装置、照明装置及び表示装置のうちの少なくとも１つを駆動して警報するので、警告音や音声、或いは発光、更には警告文の表示等により、不正行為者自身に警告を与え、或いは、周囲にいる遊技客や遊技場係員等に不正行為の事実を知らせることで、速やかに不正行為をやめさせることができる。
【００２４】
請求項７に係る本発明によると、高圧放電に伴う電磁波ノイズ等の電気的要因の検出時に警報を発するシステムをパチンコ機に適用したことにより、遊技球を不正に取得しようとする不正行為を、極めて有効に抑制することができる。
【００２５】
請求項８に係る本発明によると、高圧放電に伴う電磁波ノイズ等の電気的要因の検出時に警報を発するシステムをスロットマシンに適用したことにより、メダルを不正に取得しようとする不正行為を、極めて有効に抑制することができる。
【発明を実施するための最良の形態】
【００２６】
以下、本発明に係る遊技機の実施形態として、遊技場等に設置されるパチンコ機を図面に沿って説明する。図１は本発明の実施形態におけるパチンコ機の外部構造を示す正面図である。
【００２７】
パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２８】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカ（図示せず）を有する放音装置１２が夫々に配設されている。そして、前扉７の上部における両放音装置１２，１２の間には、演出用照明装置８が配設されている。なお、筐体６及び前扉７等により遊技機本体が構成されている。
【００２９】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００３０】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００３１】
また、前扉７における皿ユニット１６の右側下方には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂが夫々配設されている。
【００３２】
遊技領域３ａの中央部分には、ステージＳを有するセンター飾り２３が配設されている。センター飾り２３の下部左右には、大当たり抽選に寄与しない一般の入賞が行われる入賞口２５，２６が配設されており、センター飾り２３の下方には、始動チャッカー２７と、アタッカー５とが順次配設されている。
【００３３】
始動チャッカー２７は、大当たり抽選実行の契機となり得る入賞が行われるものであり、開放位置と閉止位置とに開閉動作するように始動チャッカー開閉ソレノイド６９（図３参照）によって作動させられる。始動チャッカー２７の直上方には、所謂命釘としての一対の障害釘３０が打ち込まれている。
【００３４】
アタッカー５は、大当たり発生時に開放され、遊技盤３の遊技領域３ａに打ち出されて転動落下する遊技球を入賞させるものであり、大当たり発生中、例えば、１回の開放で９個の入球を完了した時点で閉じ、当該開閉動作を１５回（つまり、１５ラウンド）繰り返すように構成される。なお、これらの入球数並びに開閉動作の回数は、９個や１５回に限定されることはなく、必要に応じて適宜設定され得るものである。
【００３５】
遊技領域３ａには、センター飾り２３の四方に風車３１が夫々配設されており、ステージＳの下方における始動チャッカー２７の左側には、スルーゲート３２が配設されている。このスルーゲート３２は、始動チャッカー２７を開閉動作させるための普通図柄抽選の契機となる遊技球通過が行われる役物である。
【００３６】
遊技領域３ａにおけるスルーゲート３２、入賞口２５，２６及び始動チャッカー２７等の周囲には、センター飾り２３のステージＳから零れた遊技球や、発射されてからステージＳに関与せずに落下してくる遊技球を適宜散らし、或いは入球に導くようにするための障害釘３３を含む多数の障害釘が打ち込まれている。
【００３７】
上記センター飾り２３は、その中央部に、遊技盤３側に固定された画像表示装置３５を露出する開口３６を有し、左上部にワープ導入口３７を有し、開口３６の下側に上記ステージＳを有し、該ステージＳの下側に、ステージＳ上で転動して該ステージＳの所定位置の落下孔（図示せず）に落下した遊技球を始動チャッカー２７に向け放出する放出口４９を有している。ワープ導入口３７に対向するように、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又はステージＳを介さず直接入球させ得るように遊技が進められる。
【００３８】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３９】
ついで、本パチンコ機１の背面構造について図２を参照して説明する。同図は、本パチンコ機１の背面構造を示す背面図である。
【００４０】
すなわち、図２に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００４１】
次に、本実施形態におけるパチンコ機１の制御系を図３に沿って説明する。なお、同図は本パチンコ機の制御系を示すブロック図である。
【００４２】
すなわち、本制御系は、遊技制御装置８０と、該遊技制御装置８０に電気的に接続された、始動チャッカー開閉ソレノイド６９、アタッカー開閉ソレノイド７０、放音装置１２、演出用照明装置１１、画像表示装置３５、サージアブソーバ６２、フォトトランジスタ６３，６４，６５、及び警報装置７７を備えている。
【００４３】
遊技制御装置８０は、図２に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４４】
遊技制御装置８０は、入賞判定手段８１、入賞信号出力手段８２、抽選手段８３、普通図柄抽選手段８５、遊技制御手段８６、保留手段８７、作動制御手段８８、演出制御手段９０、表示制御手段９１、発光制御手段９２、及び警報制御手段９３を備えている。
【００４５】
入賞判定手段８１は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００４６】
入賞信号出力手段８２は、入賞判定手段８１によって入賞が判定されたとき、対応する始動チャッカー２７、入賞口２５，２６、アタッカー５等に入賞した旨の入賞信号を出力する。
【００４７】
抽選手段８３は、入賞信号出力手段８２からの始動チャッカー２７に対応する入賞信号の入力時、最大保留球数（例えば４個）未満での入賞を契機として、乱数値を取得して大当たり抽選を実行する。そして抽選手段８３は、大当たり抽選で確率変動当たりに当選した場合には、不図示の演出用メモリに格納された演出乱数値に基づく抽選で、変動の結果、「３３３」や「７７７」等の図柄が画像表示装置３５の画面上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４８】
また抽選手段８３は、大当たり抽選で通常大当たりに当選した場合には、演出乱数値に基づく抽選で、変動の結果、「２２２」や「４４４」等の図柄が大当たり有効ライン上で最終的に揃う旨の変動パターンを決定し、その旨の変動パターン信号を出力する。更に抽選手段８３は、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００４９】
普通図柄抽選手段８５は、始動チャッカー２７を開閉動作させるか否かの普通図柄抽選を、この普通図柄抽選の保留球数（例えば４個）の範囲内で、スルーゲート３２への入球を契機として実行する。
【００５０】
遊技制御手段８６は、放音装置１２、演出用照明装置１１に放音、発光駆動等の演出をさせる契機となる指令を演出制御手段９０に送る。更に、遊技制御手段８６は、予め設定された演出データや、抽選手段８３での抽選結果に応じて、画像表示装置３５の画面に表示すべき大当たり抽選に関連する演出内容に関する信号を表示制御手段９１に送る。
【００５１】
保留手段８７は、抽選手段８３から出力された変動パターン信号を入力し、変動パターンを、始動チャッカー２７への入賞の都度に行われた抽選の結果となる保留球として順次記憶する。当該記憶状況は、不図示の大当たり抽選保留表示装置に、最大４個の保留球となるように点灯表示される。保留手段８７は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５２】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、抽選手段８３で行われる始動チャッカー２７への入賞に応答した大当たり抽選の結果を保留球として記憶し、保留球数を１インクリメントする。
【００５３】
作動制御手段８８は、所定のタイミングで始動チャッカー開閉ソレノイド６９に駆動信号を送って該ソレノイド６９を作動させ、始動チャッカー２７を開閉動作させる。また、作動制御手段８８は、所定のタイミングでアタッカー開閉ソレノイド７０に駆動信号を送り、アタッカー５を１５ラウンドだけ開閉動作させるように制御する。
【００５４】
演出制御手段９０は、遊技制御手段８６の指令に応答して、放音装置１２を放音駆動し、演出用照明装置１１を発光駆動して遊技者の聴覚や視覚に訴える演出を行う。
【００５５】
表示制御手段９１は、遊技制御手段８６からの信号に従って、画像表示装置３５を駆動し、大当たり抽選結果を中心とした内容等の演出を、遊技者の視覚に訴えるように演出表示する。その際、表示制御手段９１は、抽選手段８３による各抽選結果を、遊技制御手段８６からの信号に従って演出表示する。
【００５６】
発光制御手段９２は、高圧放電に伴う電磁波ノイズ等の電気的要因が遊技機本体（６，７）に作用した際に、サージアブソーバ６２が放電発光（アレスタの電極間での閃光）して、該発光による光をフォトトランジスタ６３，６４，６５が検知したとき、遊技機本体にノイズが作用したと見なして（検出して）、その旨の検出信号を警報制御手段９３に出力する。
【００５７】
警報制御手段９３は、発光制御手段９２から上記検出信号を受信した際に、警報装置７７から警報を発するように制御する。この警報装置７７は、管理室７８内のホールコンピュータ（図示せず）に設けられており、不図示のスピーカによる放音部やランプによる発光部を備え、警報制御手段９３の制御に従い、放音と発光の少なくとも一方によって警報を発する。
【００５８】
ここで、図４を参照して、上記発光制御手段９２及び警報制御手段９３等による警報のシステムについて、より詳細に説明する。なお、同図は、図３における本発明の特徴部分を抜粋して、より詳細に示したブロック図である。
【００５９】
すなわち、図４に示すように、パチンコ機１は、上述した遊技制御装置８０とともに、該遊技制御装置８０に電源を供給する電源装置５４を備えている。
【００６０】
電源装置５４は、商用交流電源５６からのＡＣ１００［Ｖ］の交番電流（交流）をＡＣ２４［Ｖ］に変換して直流電流に整流して遊技制御装置８０等に供給する構成を有している。この電源装置５４は、商用交流電源５６に接続された１次側コイル５７と、該１次側コイル５７から絶縁された状態でＡＣ２４［Ｖ］を出力する２次側コイル５８とからなるトランス５５を有する。なお、これに限らず、電源装置５４のトランス５５に相当するトランス（図示せず）をパチンコ機１の外部に設け、当該トランスを介して、商用交流電源５６からのＡＣ１００［Ｖ］の交流をＡＣ２４［Ｖ］に変換してからパチンコ機１に供給するように構成することもできる。その場合、電源装置５４内には、後述の整流回路のみが設けられる。
【００６１】
また、電源装置５４は、２次側コイル５８の下流側に配置されて、ＡＣ２４［Ｖ］を全波整流して直流電流とする整流回路を有している。この整流回路は、２次側コイル５８の一端と他端にアノードを夫々接続したダイオード５９，６０を有しており、これらダイオード５９，６０は、夫々のカソードが一方の出力端子７１ａ側に共通接続されている。他方の出力端子７１ｂは２次側コイル５８の中間部に接続されており、ダイオード５９，６０の下流側における出力端子７１ａ，７１ｂ間には、キャパシタ（コンデンサ）６１が並列に接続されている。
【００６２】
電源装置５４において、２次側コイル５８の両端とダイオード５９，６０の各アノードとの間にはアレスタ６２ａ，６２ａの各一端が夫々接続され、１次側コイル５７の両端と入力端子７２ａ，７２ｂとの間にはアレスタ６２ｂ，６２ｂの各一端が夫々接続され、出力端子７１ａ，７１ｂと遊技制御装置８０の入力端子７３ａ，７３ｂとの間のラインにはアレスタ６２ｃ，６２ｃの各一端が夫々接続されている。また、遊技制御装置８０内には、入力端子７３ａ，７３ｂに接続されたレギュレータ７９が設けられており、このレギュレータ７９の出力側のラインにはアレスタ６２ｄ，６２ｄの各一端が夫々接続されている。入力端子７３ａ，７３ｂから入力された直流の入力電圧（２４［Ｖ］）は、レギュレータ７９を介して１２［Ｖ］と５［Ｖ］の出力電圧に降圧されて遊技制御装置８０の各部に供給される。これらアレスタ６２ａ，６２ａ，６２ｂ，６２ｂ，６２ｃ，６２ｃ，６２ｄ，６２ｄの各他端は接地（アース）されている。なお、アレスタ６２ｂ，６２ｂの他端の接地は、フレームグランド（筐体接地）とされている。
【００６３】
これらアレスタ６２ａ，６２ａ，６２ｂ，６２ｂ，６２ｃ，６２ｃ，６２ｄ，６２ｄによりサージアブソーバ６２が構成されている。そして、アレスタ６２ａ，６２ａ，６２ｂ，６２ｂにおける放電発光のしきい値（閾値）は、遊技機本体内の対応部位の、電磁波ノイズ等の電気的要因に対する耐性のしきい値（その値を超えると誤作動や破損等を引き起こす限界の値）よりも低く設定されている。また、アレスタ６２ｃ，６２ｃ，６２ｄ，６２ｄにおける放電発光のしきい値も同様に、遊技制御装置８０内の主制御基板４０等の基板や、始動チャッカー開閉ソレノイド６９等の電子・電気機器の、電磁波ノイズ等の電気的要因に対する耐性のしきい値よりも低く設定されている。
【００６４】
また、アレスタ６２ａ，６２ａに対向する位置にはフォトトランジスタ６３が配置され、アレスタ６２ｂ，６２ｂに対向する位置にはフォトトランジスタ６４が配置され、アレスタ６２ｃ，６２ｃに対向する位置にはフォトトランジスタ６５が配置され、アレスタ６２ｄ，６２ｄに対向する位置にはフォトトランジスタ８４が配置されている。これらフォトトランジスタ６３，６４，６５，８４の各コレクタ及びエミッタは、遊技制御装置８０の発光制御手段９２への信号入力端子７４ａ，７４ｂに夫々接続されている。なお、本実施形態では、フォトトランジスタ６３，６４，６５としてｎｐｎ型を採用したが、これに限らずｐｎｐ型のフォトトランジスタを用いてもよいことは勿論である。
【００６５】
以上の構成により、静電気等による高圧放電に伴う電磁波ノイズ等の電気的要因がパチンコ機１の遊技機本体に加えられた場合、その加えられた部位に応じてアレスタ６２ａ，６２ｂ，６２ｃ，６２ｄのいずれかが放電発光し、その光をフォトトランジスタ６３，６４，６５，８４の対応するものが検知し、発光制御手段９２からの検出信号を受信した警報制御手段９３が警報装置７７を制御して警報を発する、という警報システムが実現される。なお、本実施形態におけるパチンコ機１では、前扉７等を回動自在に支持するヒンジ部（図示せず）、外部接続部（図示せず）、溢れた遊技球用の通路に設けられた板金（図示せず）、施錠装置１３等の錠部分、発射板金（図示せず）、島設備にてパチンコ機側部に配置されるサンド（図示せず）などが接地（アース）されている。
【００６６】
本実施形態において、上記警報装置７７は、上述したように管理室７８内のホールコンピュータに配置されており、警報制御手段９３から出力される信号は、遊技場内に配線された信号ライン７５を経由して警報装置７７に伝達される。この構成により、遊技場の責任者等に不正行為発生の事実を直ちに警報により認識させ、速やかに不正行為をやめさせる処置をとることができる。その場合、不正行為者に気づかれることなく退路を断つなど、より有効な処置をとることができる。なお、警報装置７７を、ホールコンピュータに設けるのではなく、別体に構成して管理室７８内の適宜の位置に配置するように構成することもできる。
【００６７】
これに対し、警報装置７７を、遊技機本体（６，７）そのものに装備することもできる。その場合、高圧放電に伴う電磁波ノイズ等の検出とともに直ちに警報を発し、不正行為者に不正行為の停止を促すことができる。また、警報手段を、遊技機本体（６，７）に備えた放音装置１２、演出用照明装置１１及び画像表示装置３５のうちの少なくとも１つを駆動して警報するように構成することもできる。その場合、警告音や音声、或いは発光、更には警告文の表示等により、不正行為者自身に警告を与えたり、周囲にいる遊技客や遊技場係員等に不正行為の事実を知らせることで、速やかに不正行為をやめさせることができる。
【００６８】
なお、前述した主制御基板４０、始動チャッカー開閉ソレノイド６９、アタッカー開閉ソレノイド７０は本発明における電子・電気機器であり、サージアブソーバ６２、フォトトランジスタ６３，６４，６５、発光制御手段９２、警報制御手段９３は本発明における検出手段であり、警報装置７７は本発明における警報手段である。また、前述したサージアブソーバ６２は本発明における発光手段であり、フォトトランジスタ６３，６４，６５は本発明における発光検知手段であり、発光制御手段９２、警報制御手段９３は本発明における制御手段である。
【００６９】
次に、本パチンコ機１による作用について、図５のフローチャートを併せて参照しつつ説明する。すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００７０】
遊技領域３ａに打ち出された遊技球の一部がワープ導入口３７に入球すると、その遊技球はステージＳ上に放出された後、該ステージＳの傾斜に沿って転動し、或るものはそのまま遊技領域３ａに落下し、或るものは放出口４９から始動チャッカー２７に向けて放出され、高い入賞確率（略１００％）で該チャッカー２７に入賞する。
【００７１】
ところで、始動チャッカー２７や入賞口２５，２６の何れかに遊技球が入賞した場合には、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９１に順次送信し、変動パターン信号の送信に応じて保留球数を１デクリメントする。また保留手段８７は、当該保留球の消費に応じて、抽選手段８３で行われる始動チャッカー２７への入賞に応じた大当たり抽選の結果を保留球として記憶し、保留球数を１インクリメントする。
【００７２】
ステップＳ３において、大当たり抽選で当選した場合、抽選手段８３が当たりフラグをオンすると、演出用メモリに格納された演出乱数値に基づく抽選で、大当たりの種別、つまり確変当たりか通常当たり対応する変動パターンが決定される。
【００７３】
これにより、ステップＳ４において、画像表示装置３５に表示されるべき当たり図柄がセットされ、抽選手段８３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００７４】
以上のようにして、遊技制御手段８６が、画像表示装置３５に表示すべき演出内容に関する信号を、表示制御手段９１に送信することに基づき、表示制御手段９１は、画像表示装置３５を適時駆動し、大当たり抽選結果に関する内容等を、遊技者の視覚に訴えるように演出表示することとなる（ステップＳ５）。
【００７５】
そして、上記演出表示を視認しながら弾球遊技する中で、画像表示装置３５の画面上に表れた抽選結果が大当たり決定である場合、作動制御手段８８は、所定のタイミングでアタッカー開閉ソレノイド７０に駆動信号を送り、当該ソレノイド７０を作動させてアタッカー５を開放し、所定数入賞が終了する（又は所定時間が経過する）毎に閉塞する動作を所定ラウンドだけ繰り返させる。これにより、アタッカー５に入賞した遊技球に対応する多量の遊技球が、球供給口１７から皿ユニット１６に払い出されることとなる（ステップＳ６）。
【００７６】
ところで、上述のように遊技を進め得るパチンコ機１では、善良な遊技者を装った不正行為者が、不正器具を使用して遊技機本体に対し、静電気等による高圧放電を行い、遊技制御装置８０、始動チャッカー開閉ソレノイド６９、アタッカー開閉ソレノイド７０などに誤動作を起こさせようとした場合に、加えられた電磁波ノイズ（或いは静電気ノイズ）を、対応するアレスタ６２ａ，６２ｂ，６２ｃ，６２ｄのいずれかの作動で放電して逃がすように機能する。そして、アレスタ６２ａ，６２ｂ，６２ｃ，６２ｄのいずれか放電したものが閃光を発するため、その光をフォトトランジスタ６３，６４，６５，８４のうち対向するものが検知し、該検知に基づき、警報装置７７が警報を発する。
【００７７】
これにより、上記不正行為者に警告を与え、或いは、周囲にいる遊技客や遊技場の係員等に不正行為の事実を知らせることができ、不正行為そのものを抑制し、遊技場に多大な損害を与える問題を未然に防ぐことができる。
【００７８】
このため、ノイズ発生時に想定される最大サージに対する耐性を基準とするのではなく、電磁波ノイズ等のノイズを検知した際に不正行為を抑制するように機能させる構成とすればよく、従って、悪意を持った不正行為に対抗するため多数のアース線を取り付けるような複雑な構造を簡素化することが可能になる。この配線構造の簡素化に伴い、部品点数を削減することができ、組立て工程を簡略化させ、これに伴うコストダウンも期待することができる。そして、不正行為自体の抑制により、パチンコ機１に或る程度の水準、例えば主制御基板４０等が誤作動しない程度の水準までノイズ耐性を考慮するだけでよくなり、従って、耐ノイズ設計を簡略化し、コスト面、開発期間の短縮など、設計・製造面での有効なメリットを享受することができる。
【００７９】
また、遊技機本体に電磁波ノイズ等の電気的要因が作用した際のサージを逃がすためのサージアブソーバ６２による放電発光をそのまま警報に有効利用することができるため、発光手段として特別な発光素子等を別途用意する必要がない分、コスト的に有利になると共に、部品点数の削減に貢献できる。
【００８０】
以上説明した本実施形態においては、本発明を、遊技媒体として遊技球を用いるパチンコ機１に適用したが、同様の構造を、複数の回胴リール１１０ａ，１１０ｂ，１１０ｃ（図６参照）を備え、かつ遊技媒体としてのメダルを用いて遊技する遊技機であるスロットマシン１０１（図６参照）に適用することもできる。
【００８１】
以下、スロットマシンに本発明を適用した場合の構成等について図６を用いて説明する。図６は、スロットマシン１０１の外部構造を示す斜視図である。同図において、スロットマシン１０１は、箱状の筐体１０２と、蝶番機構を介して筐体１０２に対し開閉可能に取り付けられた前扉１０３とを備えている。なお、これら筐体１０２と前扉１０３等により遊技機本体が構成される。
【００８２】
前扉１０３の遊技者に面する側は、視覚効果を高めてデザインされた所謂化粧板が設けられて、上部パネル部１０４と下部パネル部１０５とに略区分けされている。上部パネル部１０４には、高輝度の発光ダイオード等を内部に備えて光による演出を行う照明装置１０６と、スピーカを内部に備えて演出効果音を発する放音装置１０７ａ，１０７ｂと、がそれぞれ配設されている。また、放音装置１０７ａ，１０７ｂの間には、透明な硬質プラスチック板等が嵌め込まれて形成された略長方形の表示窓１０８が形成され、表示窓１０８を通して前扉１０３の裏面側に配置されている液晶等の画像表示装置１０８ａの画像が表示される。
【００８３】
上部パネル部１０４のほぼ中央には、硬質プラスチックで形成されたパネル板が取り付けられている。パネル板の中央には略長方形の透明な表示窓１０９が形成されており、表示窓１０９を通して筐体１０２内に取り付けられている３個の円筒形状の回胴リール１１０ａ，１１０ｂ，１１０ｃが目視されるようになっている。
【００８４】
ここで、３個の回胴リール１１０ａ，１１０ｂ，１１０ｃはその回転軸方向に一列に並べて配置され、また、それぞれの外周面には複数種類の図柄が描かれている。遊技者は、表示窓１０９を通して、一のリールに描かれた上下方向３個の図柄と、横方向に配列された回胴リール３列の図柄を目視することができる。そして、遊技者の操作に応じて各回胴リール１１０ａ，１１０ｂ，１１０ｃの回転及び停止の動作が行われ、これにより、表示される回胴リールの図柄の種類が変更されるようになっている。
【００８５】
また、上部パネル部１０４のパネル板には、ドットマトリクスＬＥＤ又はランプ等で形成された遊技情報表示部１１１が配置されている。遊技情報表示部１１１は、例えば、入賞役等への内部当選の状態、スロットマシン１０１にクレジットされているメダル数、又は入賞によって獲得したメダル数などの遊技状態に関する情報を演出表示する。上部パネル部１０４の両側部には、蛍光灯又は高輝度発光ダイオードを備える演出用の照明装置１１２ａ，１１２ｂが設けられている。
【００８６】
また、下部パネル部１０５には、前面パネル１２２の前側において、遊技者側に向かいながら若干下方に傾斜した平面を有する操作卓１２３が一体的に形成され、遊技メダル（図示せず）を投入するための投入口１１３ａを有するメダル投入部１１３と、ベットボタン１１４と、回胴リール１１０ａ〜１１０ｃの回転動作を開始させるスタートレバー１１５と、回転している回胴リール１１０ａ〜１１０ｃをそれぞれ停止させるためのストップボタン１１６ａ，１１６ｂ，１１６ｃとが設けられている。なお、図中の符号１１３ｂは、前面パネル１２２の前方に若干の隙間をあけた形で起立するメダル受け壁部を示している。
【００８７】
すなわち、遊技者がベットボタン１１４を押圧操作することで当該ゲームに賭けるメダル数を提示し、スタートレバー１１５を傾倒操作すると各回胴リール１１０ａ〜１１０ｃが一斉に回転する。このとき、スロットマシン１では、当該ゲームの入賞に係る役（入賞役）の抽選が内部的処理により行われる。各回胴リール１１０ａ〜１１０ｃが所定の回転数に達すると、ストップボタン１１６ａ〜１１６ｃによるリール停止操作が準備完了の状態となる。この状態で遊技者がストップボタン１１６ａ〜１１６ｃを任意の順序で押圧操作することにより、対応する回胴リールがそれぞれ停止制御される。そして、停止した３個の回胴リール１１０ａ〜１１０ｃによって表示される図柄が上述の抽選で当選した役に対応する組み合せで有効なライン上に揃うと入賞が確定し、その入賞役の種類に応じた枚数のメダルが遊技者に配当される。
【００８８】
また、下部パネル部１０５の前面右側には、前扉１０３を開錠するための鍵が挿入される鍵穴１１７が設けられている。遊技場の係員等が鍵穴１１７に所定の鍵を挿入して開錠操作すると、蝶番機構によって筐体１０２に取り付けられている前扉１０３を前方へ開くことができ、また前扉１０３を筐体１０２側に閉じると、自動的にこれらを施錠するようになっている。下部パネル部１０５には、スロットマシン１０１の型式などを遊技者へ認識させるため、登場キャラクターなどの絵を表示するパネル１１８が配置されている。前扉１０３の下部には、入賞時にメダルを排出するためのメダル排出口１１９と、排出されたメダルを貯留する受け皿１２０とが配置されている。更にメダル排出口１１９に隣接して、不図示のスピーカを内蔵する放音装置１２１が配置されている。
【００８９】
以上の構成を有するスロットマシン１０１において、図４で説明したサージアブソーバ６２、発光制御手段９２、警報制御手段９３を、パチンコ機１の場合と同様の部位に配置すると共に、警報装置７７を、スロットマシン１０１の管理室に配置する。或いは、警報装置７７を、筐体１０２及び前扉１０３等からなる遊技機本体に装備することもできる。これにより、本スロットマシン１０１にて、電磁波ノイズ等の電気的要因を作用させてメダルを不正に取得しようとする不正行為を極めて有効に抑制できると共に、パチンコ機１の場合と同様の効果を奏することができる。
【００９０】
なお、本スロットマシン１０１において、警報手段としての放音装置は放音装置１０７ａ，１０７ｂであり、警報手段としての照明装置は照明装置１０６，１１２ａ，１１２ｂであり、警報手段としての表示装置は画像表示装置１０８ａである。
【００９１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９２】
【図１】本発明の実施形態におけるパチンコ機の外部構造を示す正面図である。
【図２】本パチンコ機の背面構造を示す背面図である。
【図３】本パチンコ機の制御系を示すブロック図である。
【図４】図３における本発明の特徴部分を抜粋して、より詳細に示すブロック図である。
【図５】本パチンコ機による作用を説明するためのフローチャートである。
【図６】本発明の実施形態におけるスロットマシンの外部構造を示す斜視図である。
【符号の説明】
【００９３】
１    遊技機（パチンコ機）
３    遊技盤
３ａ    遊技領域
６，７    遊技機本体（筐体、前扉）
１１    警報手段（演出用照明装置）
１２，１０７ａ，１０７ｂ    警報手段（放音装置）
３５，１０８ａ    表示装置（画像表示装置）
４０    制御基板（主制御基板）
６２    検出手段、発光手段（サージアブソーバ）
６２ａ，６２ｂ，６２ｃ，６２ｄ    アレスタ
６３，６４，６５，８４    検出手段、発光検知手段（フォトトランジスタ）
６９    電子・電気機器（始動チャッカー開閉ソレノイド）
７０    電子・電気機器（アタッカー開閉ソレノイド）
７７    警報手段（警報装置）
７８    管理室
８３    大当たり抽選手段
９２，９３    検出手段、制御手段（発光制御手段、警報制御手段）
１０１    遊技機（スロットマシン）
１０２，１０３    遊技機本体（筐体、前扉）
１０６，１１２ａ，１１２ｂ    警報手段（照明装置）
１１０ａ，１１０ｂ，１１０ｃ    回胴リール
Ｂａ    遊技媒体（遊技球）
【図１】
2008119117.tif 000003
【図２】
2008119117.tif 000004
【図３】
2008119117.tif 000005
【図４】
2008119117.tif 000006
【図５】
2008119117.tif 000007
【図６】
2008119117.tif 000008